(57)【特許請求の範囲】
【請求項１】
媒体に記録を行う記録手段を備える装置本体の外側の少なくとも一部を構成する筐体と、
前記装置本体の上部の少なくとも一部を開閉する、回動可能な蓋体と、
前記蓋体の回動軸と、を備え、
前記回動軸は、前記回動軸の軸線方向と交差する方向に変位可能であり、且つ前記装置本体に対して鉛直方向成分を含む方向にスライド可能に設けられるヒンジ部材により構成され、
前記ヒンジ部材は、前記筐体の内側に設けられ、
前記蓋体は、前記回動軸の変位により、自由端側に対し反対側の端部と前記筐体との間の隙間を埋める閉状態から、開状態へと回動可能であり、
前記蓋体が閉じた状態において、前記ヒンジ部材が、前記筐体及び前記蓋体の内側に隠れる、
ことを特徴とする記録装置。
【請求項２】
請求項１に記載の記録装置において、前記ヒンジ部材は、付勢手段によって鉛直下方向の成分を含む方向に付勢されている、
ことを特徴とする記録装置。
【請求項３】
請求項２に記載の記録装置において、前記ヒンジ部材及び前記付勢手段の対が、前記蓋体の回動軸線方向に沿って複数設けられ、
前記付勢手段の付勢力は、前記蓋体の回動軸線方向における一方の側部を持ち上げて前記蓋体を開く際に、前記一方の側部から遠い位置にある前記ヒンジ部材を支点として前記一方の側部に近い位置にある前記ヒンジ部材が浮き上がることなく前記蓋体が回動する大きさに設定されている、
ことを特徴とする記録装置。
【請求項４】
請求項１から請求項３のいずれか一項に記載の記録装置において、前記蓋体が閉じた状態から所定の開き角まで開く範囲で前記蓋体を閉方向に付勢し、前記蓋体が前記所定の開き角から更に開いた範囲で前記蓋体を開方向に付勢するばね部材を前記ヒンジ部材に備える、
ことを特徴とする記録装置。
【請求項５】
請求項１から請求項４のいずれか一項に記載の記録装置において、前記装置本体の上部に、原稿を読み取る読み取り機構部と、
前記媒体をセット可能な媒体供給口と、を有し、
前記蓋体は、前記媒体供給口を開閉し、
前記読み取り機構部は、原稿を載置する原稿台を開閉する、前記蓋体と開き方向が同じである原稿カバーを備え、
前記蓋体と前記原稿カバーは、前記装置本体の横幅に相当する幅を有するとともに、前記蓋体の上面と前記原稿カバーの上面とが面一であり、
前記蓋体の前記自由端側と反対側の端部と前記装置本体の背面とが面一である、
ことを特徴とする記録装置。
【請求項６】
請求項１から請求項４のいずれか一項に記載の記録装置において、
前記媒体をセット可能な媒体供給口を有し、
前記蓋体は、前記媒体供給口を開閉し、前記開状態において、セットされた前記媒体を支持可能である、
ことを特徴とする記録装置。
【請求項７】
請求項６に記載の記録装置において、
前記蓋体は、前記開状態において前記媒体の支持領域を増やすことが可能な部材を備える、
ことを特徴とする記録装置。
【請求項８】
媒体に記録を行う記録手段を備える装置本体の外側の少なくとも一部を構成する筐体と、
前記装置本体の上部の少なくとも一部を開閉する、回動可能な蓋体と、
前記蓋体の回動軸と、を備え、
前記回動軸は、前記回動軸の軸線方向と交差する方向に変位可能であり、且つ前記装置本体に対して鉛直方向成分を含む方向にスライド可能に設けられるヒンジ部材により構成され、
前記蓋体は、前記回動軸の変位により、自由端側に対し反対側の端部と前記筐体との間の隙間を埋める閉状態から、開状態へと回動可能であり、
前記蓋体が閉じた状態から所定の開き角まで開く範囲で前記蓋体を閉方向に付勢し、前記蓋体が前記所定の開き角から更に開いた範囲で前記蓋体を開方向に付勢するばね部材を前記ヒンジ部材に備える、
ことを特徴とする記録装置。
【請求項９】
媒体に記録を行う記録手段を備える装置本体の外側の少なくとも一部を構成する筐体と、
前記装置本体の上部の少なくとも一部を開閉する、回動可能な蓋体と、
前記蓋体の回動軸と、を備え、
前記装置本体の上部に、原稿を読み取る読み取り機構部と、媒体をセット可能な媒体供給口と、を有し、
前記回動軸は、前記回動軸の軸線方向と交差する方向に変位可能であり、
前記蓋体は、前記回動軸の変位により、自由端側に対し反対側の端部と前記筐体との間の隙間を埋める閉状態から、開状態へと回動可能であり、且つ前記媒体供給口を開閉し、
前記読み取り機構部は、原稿を載置する原稿台を開閉する、前記蓋体と開き方向が同じである原稿カバーを備え、
前記蓋体と前記原稿カバーは、前記装置本体の横幅に相当する幅を有するとともに、前記蓋体の上面と前記原稿カバーの上面とが面一であり、
前記蓋体の前記自由端側と反対側の端部と前記装置本体の背面とが面一である、
ことを特徴とする記録装置。
【発明の詳細な説明】
【技術分野】
【０００１】
本発明は、媒体に記録を行う記録手段を備える装置本体の外側の少なくとも一部を構成する筐体と、前記装置本体の上部の少なくとも一部を開閉する、回動可能なカバーと、を備えた記録装置に関する。
【背景技術】
【０００２】
媒体に記録を行う記録装置には、媒体に記録を行う記録機構部と、原稿を読み取る読み取り機構部とを一体に備え、前記記録機構部に媒体を供給するための媒体供給口が、装置本体の後方上部に設けられるものがある（例えば、特許文献１参照）。
【０００３】
特許文献１記載の記録装置では、媒体供給口を開閉する蓋体が設けられており、不使用時には蓋体を閉じることができる様になっている。尚、この蓋体は、媒体給送口から給送される媒体を支持する媒体サポートとして機能する様に構成されている。  
また、特許文献１記載の記録装置は、読み取り機構部に対応するスキャナユニットに、原稿台を開閉する蓋体が設けられている。
【先行技術文献】
【特許文献】
【０００４】
【特許文献１】特開２０１１−２０８２８号公報
【発明の概要】
【発明が解決しようとする課題】
【０００５】
上記の様な蓋体は、回動軸を中心に回動することにより開閉する。この様な構成において、蓋体と、装置の筐体との間の隙間、より具体的には蓋体において自由端側に対し反対側の端部（回動軸側の端部：以下「回動軸側端部」と称する）と、筐体との間の隙間は、蓋体が回動する為に必要な隙間となる。この隙間がないと、蓋体の回動軸側端部が筐体に当接し、それ以上蓋体は回動することができない。しかしながら、蓋体の回動軸側端部と筐体との間の隙間を大きくすると、装置内部に塵埃等の侵入を容易に招くとともに、装置の外観上好ましくない。また、上記の様な問題を回避する為に蓋体の回動軸を装置外側に露呈する様に設けることも、やはり装置の外観上好ましくない。
【０００６】
上記問題点に鑑み、本発明の目的は、蓋体の回動軸側端部と筐体との間の隙間を小さくしながらも、蓋体を適切に開閉できる記録装置を提供することにある。
【課題を解決するための手段】
【０００７】
上記課題を解決するため、本発明の第１の態様に係る記録装置は、媒体に記録を行う記録手段を備える装置本体の外側の少なくとも一部を構成する筐体と、前記装置本体の上部の少なくとも一部を開閉する、回動可能な蓋体と、前記蓋体の回動軸と、を備え、前記回動軸は、前記回動軸の軸線方向と交差する方向に変位可能であり、前記蓋体は、前記回動軸の変位により、自由端側に対し反対側の端部と前記筐体との間の隙間を埋める閉状態から、開状態へと回動可能であることを特徴とする。
【０００８】
本態様によれば、装置本体の上部の少なくとも一部を開閉する、回動可能な蓋体の回動軸は、軸線方向と交差する方向に変位可能であり、前記蓋体は、前記回動軸の変位により、自由端側に対し反対側の端部と前記筐体との間の隙間を埋める閉状態から、開状態へと回動可能であるので、前記蓋体の回動軸側端部と前記筐体との間の隙間を小さくしながらも、蓋体を適切に開閉可能となる。
【０００９】
本発明の第２の態様は、第１の態様において、前記回動軸は、前記装置本体に対して鉛直方向成分を含む方向にスライド可能に設けられるヒンジ部材により構成されることを特徴とする。
【００１０】
本態様によれば、前記回動軸は、前記装置本体に対して鉛直方向成分を含む方向にスライド可能に設けられるヒンジ部材により構成されるので、前記回動軸を軸線方向と交差する方向に変位させる構成を構造簡単にして低コストに実現できる。
【００１１】
本発明の第３の態様は、第２の態様において、前記ヒンジ部材は、付勢手段によって鉛直下方向の成分を含む方向に付勢されていることを特徴とする。  
本態様によれば、前記ヒンジ部材は、付勢手段によって鉛直下方向の成分を含む方向に付勢されているので、前記蓋体と前記筐体との間の隙間が埋まった状態、即ち外観上好ましい状態を維持できる。
【００１２】
本発明の第４の態様は、第３の態様において、前記ヒンジ部材及び前記付勢手段の対が、前記蓋体の回動軸線方向に沿って複数設けられ、前記付勢手段の付勢力は、前記蓋体の回動軸線方向における一方の側部を持ち上げて前記蓋体を開く際に、前記一方の側部から遠い位置にある前記ヒンジ部材を支点として前記一方の側部に近い位置にある前記ヒンジ部材が浮き上がることなく前記蓋体が回動する大きさに設定されていることを特徴とする。
【００１３】
本態様によれば、前記ヒンジ部材は、前記蓋体の回動軸線方向に沿って複数設けられ、前記付勢手段の付勢力は、前記蓋体の回動軸線方向における一方の側部を持ち上げて前記蓋体を開く際に、前記一方の側部から遠い位置にある前記ヒンジ部材を支点として前記一方の側部に近い位置にある前記ヒンジ部材が浮き上がることなく前記蓋体が回動する大きさに設定されているので、ユーザーが前記蓋体の回動軸線方向における一方の側部を持ち上げて前記蓋体を開く際に、適切に前記蓋体を開くことができる。
【００１４】
本発明の第５の態様は、第２から第４の態様のいずれかにおいて、前記ヒンジ部材は、前記筐体の内側に設けられ、前記蓋体が閉じた状態において、前記ヒンジ部材が、前記筐体及び前記蓋体の内側に隠れることを特徴とする。
【００１５】
本態様によれば、前記蓋体が閉じた状態において、前記ヒンジ部材が、前記筐体及び前記蓋体の内側に隠れるので、前記蓋体が閉じた状態での記録装置の外観を向上させることができる。
【００１６】
本発明の第６の態様は、第２から第５の態様のいずれかにおいて、前記蓋体が閉じた状態から所定の開き角まで開く範囲で前記蓋体を閉方向に付勢し、前記蓋体が前記所定の開き角から更に開いた範囲で前記蓋体を開方向に付勢するばね部材を前記ヒンジ部材に備えることを特徴とする。
【００１７】
本態様によれば、前記蓋体が閉じた状態から所定の開き角まで開く範囲で前記蓋体を閉方向に付勢し、前記蓋体が前記所定の開き角から更に開いた範囲で前記蓋体を開方向に付勢するばね部材を前記ヒンジ部材に備えるので、前記蓋体を開閉する際の操作性が向上する。
【００１８】
本発明の第７の態様は、第１から第６の態様のいずれかにおいて、前記装置本体の上部に、原稿を読み取る読み取り機構部と、媒体をセット可能な媒体供給口と、を有し、前記蓋体は、前記媒体供給口を開閉し、前記読み取り機構部は、原稿を載置する原稿台を開閉する、前記蓋体と開き方向が同じである原稿カバーを備え、前記蓋体と前記原稿カバーは、前記装置本体の横幅に相当する幅を有するとともに、前記蓋体の上面と前記原稿カバーの上面とが面一であり、前記蓋体の前記自由端側と反対側の端部と前記装置本体の背面とが面一であることを特徴とする。  
本態様によれば、優れた外観の記録装置を得ることができる。
【図面の簡単な説明】
【００１９】
【図１】本発明に係るプリンターの外観斜視図。
【図２】本発明に係るプリンターを背面側から見た外観斜視図。
【図３】本発明に係るプリンターにおいて排紙トレイを装置前方に展開した状態を示す斜視図。
【図４】本発明に係るプリンターにおける媒体の搬送経路を示す側断面図。
【図５】プリンターにおいて読み取り機構部に対して原稿カバーを開いた状態を示す斜視図。
【図６】装置本体背面側において媒体供給口カバーを装置本体に対して開いた状態を示す斜視図。
【図７】図６において媒体供給口カバーを取り外した状態を示す斜視図。
【図８】媒体供給口カバーの斜視図。
【図９】媒体供給口カバーに設けられた摺動面を示す斜視図。
【図１０】装置本体に対して閉じた状態の媒体供給口カバーを示す側断面図。
【図１１】ヒンジ部材の斜視図。
【図１２】ヒンジ部材の斜視図。
【図１３】装置本体に対して媒体供給口カバーを回動させた状態を示す側断面図。
【図１４】装置本体に対して媒体供給口カバーを回動させて装置背面側に傾斜させた状態を示す側断面図。
【図１５】媒体供給口カバーが閉じた状態におけるヒンジ部材に設けられたばね部材の状態を示す側断面図。
【図１６】媒体供給口カバーが開いた状態におけるヒンジ部材に設けられたばね部材の状態を示す側断面図。
【発明を実施するための形態】
【００２０】
以下、本発明の実施の形態を図面に基づいて説明する。尚、各実施例において同一の構成については、同一の符号を付し、最初の実施例においてのみ説明し、以後の実施例においてはその構成の説明を省略する。
【００２１】
図１は本発明に係るプリンターの外観斜視図であり、図２は本発明に係るプリンターを背面側から見た外観斜視図であり、図３は本発明に係るプリンターにおいて排紙トレイを装置前方に展開した状態を示す斜視図であり、図４は本発明に係るプリンターにおける媒体の搬送経路を示す側断面図であり、図５はプリンターにおいて読み取り機構部に対して原稿カバーを開いた状態を示す斜視図であり、図６は装置本体背面側において媒体供給口カバーを装置本体に対して開いた状態を示す斜視図であり、図７は図６において媒体供給口カバーを取り外した状態を示す斜視図であり、図８は媒体供給口カバーの斜視図である。
【００２２】
図９は媒体供給口カバーに設けられた摺動面を示す斜視図であり、図１０は装置本体に対して閉じた状態の媒体供給口カバーを示す側断面図であり、図１１はヒンジ部材の斜視図であり、図１２はヒンジ部材の斜視図であり、図１３は装置本体に対して媒体供給口カバーを回動させた状態を示す側断面図であり、図１４は装置本体に対して媒体供給口カバーを回動させて装置背面側に傾斜させた状態を示す側断面図であり、図１５は媒体供給口カバーが閉じた状態におけるヒンジ部材に設けられたばね部材の状態を示す側断面図であり、図１６は媒体供給口カバーが開いた状態におけるヒンジ部材に設けられたばね部材の状態を示す側断面図である。
【００２３】
また、各図において示すＸ−Ｙ−Ｚ座標系はＸ方向がキャリッジの主走査方向（移動方向）、すなわち記録装置の幅方向、Ｙ方向が媒体搬送方向、すなわち記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２４】
■■■第１実施例■■■■
＜＜＜プリンターの概要＞＞＞
図１及び図２を参照するに、プリンター１０は、装置本体１２と、装置本体１２の外側の少なくとも一部を構成する筐体１２ａと、装置本体１２の上部に設けられた、読み取り機構部１４とを備えている。装置本体１２の装置前面側には操作部１６が装置本体１２に対して回動（チルト）可能に設けられている。操作部１６は装置本体１２に対して閉じた姿勢（図１参照）と、装置本体１２に対して装置前面側に回動した姿勢（図３参照）とを切換え可能に構成されている。操作部１６には表示パネル等の表示手段１８が設けられている。
【００２５】
装置本体１２の装置前面側において操作部１６の下方には前面カバー２０が配置されている。また、装置本体１２には排紙トレイ２２が設けられている。排紙トレイ２２は、装置本体１２内に収容された状態（図１参照）と装置本体１２の装置前面側に展開した状態（図３参照）とを切換え可能に構成されている。
【００２６】
また、装置本体１２の背面側の上部には、「蓋体」としての媒体供給口カバー２４が装置奥行き方向背面側が回動支点となるように回動可能に取り付けられている。媒体供給口カバー２４は、図１に示す装置本体１２に対して閉じた状態（閉状態）と、図３に示す装置本体１２に対して開いた状態（開状態）とを切換え可能に構成されている。
【００２７】
尚、媒体供給口カバー２４を閉じると、当該媒体供給口カバー２４は、装置本体１２の上面の一部、具体的には装置奥行き方向において背面側の上面を構成する。また、媒体供給口カバー２４の装置奥行き方向背面側の端部２４ａは、媒体供給口カバー２４が閉じた状態において、装置本体１２の背面１２ｂと面一である（図４参照）。また、媒体供給口カバー２４において、一例として、装置奥行き方向前面側の端部が自由端側として構成されている。
【００２８】
媒体供給口カバー２４を開くと、装置本体１２の上部背面側に被記録媒体をセットする媒体供給口２６が露出する。そして、矢印Ａの向きに被記録媒体を媒体供給口２６に差し入れることができ、差し入れられた媒体は、図４に示す傾斜した媒体案内経路２８に案内されて、搬送方向下流側に送られる。
【００２９】
＜＜＜媒体搬送経路について＞＞＞
次いで、図４を参照して装置本体１２における被記録媒体の媒体搬送経路３０について説明する。図４において符号Ｐが付された太い実線は、カセット３２から排紙トレイ２２までの媒体搬送経路３０に沿って搬送される媒体の案内経路を示している。
【００３０】
装置本体１２の下部には、被記録媒体を収容するカセット３２が設けられている。カセット３２は、箱状に形成され、その内部に被記録媒体が収容可能である。さらに、装置本体１２内には、媒体搬送経路３０に沿ってピックアップローラー３４、反転ローラー３６、従動ローラー３８ａ、３８ｂ、３８ｃ、搬送ローラー対４０、記録部４２及び排出ローラー対４４の順に設けられている。ピックアップローラー３４は、回動軸４６を支点に回動可能に、カセット３２の上方に配置されている。そして、ピックアップローラー３４によりカセット３２から給送された被記録媒体は、反転ローラー３６と従動ローラー３８ａ、３８ｂとにニップされて、搬送ローラー対４０に搬送される。
【００３１】
搬送ローラー対４０は被記録媒体を記録部４２に搬送する。記録部４２は、キャリッジ４８と、「記録手段」としての記録ヘッド５０と、媒体案内部材５２とを備えている。キャリッジ４８は、装置幅方向に往復動可能に構成されている。そして、キャリッジ４８の下部には、記録ヘッド５０が設けられている。記録ヘッド５０は装置高さ方向下方側に向けてインクを吐出するように構成されている。
【００３２】
また、記録ヘッド５０の下方において、記録ヘッド５０と対向する領域に媒体案内部材５２が設けられている。媒体案内部材５２は、記録ヘッド５０と対向し、記録ヘッド５０と間隔をおいて配置されている。媒体案内部材５２は、搬送ローラー対４０により記録ヘッド５０と対向する領域に搬送されてきた被記録媒体の下面（記録面と反対側の面）を支持する。そして、記録ヘッド５０は、媒体案内部材５２により支持された被記録媒体に対してインクを吐出し、被記録媒体の記録面に記録を実行する。
【００３３】
そして、記録が実行された被記録媒体は、記録部４２の搬送方向下流側に設けられた排出ローラー対４４にニップされて、装置前面側に突出している排紙トレイ２２（図３参照）に向けて排紙される。
【００３４】
また、媒体供給口カバー２４を開いて、プリンター１０の上方から媒体供給口２６に差し入れられた被記録媒体は、媒体案内経路２８に案内されて記録部４２に搬送され、記録部４２において記録が行われる。そして、記録が行われた後、排紙トレイ２２に排出される。
【００３５】
また、記録部４２において被記録媒体の第１面（記録面）に記録が実行された後、第１面と反対の側の第２面（下面）に記録を行う場合、搬送ローラー対４０を逆転させて、被記録媒体を搬送方向上流側に搬送する。搬送方向上流側に搬送される被記録媒体は、反転ローラー３６と従動ローラー３８ｃとにニップされる。そして、被記録媒体は反転ローラー３６により、第１面と第２面とを反転させられて、再度記録部４２に搬送され、記録部４２において第２面の記録が実行された後、排紙トレイ２２に向けて排出される。
【００３６】
＜＜＜読み取り機構部について＞＞＞
次いで、図４及び図５を参照して、読み取り機構部１４について説明する。装置本体１２の上部には読み取り機構部１４が設けられている。読み取り機構部１４は、スキャナーとして構成されている。読み取り機構部１４は、本体部５４（図４参照）と、本体部５４の上部に設けられた原稿台５６（図４参照）と、原稿カバー５８とを備えている。原稿台５６は、一例として透明なガラス板で形成され、その上面に原稿を載置可能に構成されている。
【００３７】
また、図５に示すように原稿カバー５８は、平板状の部材として形成されている。そして、原稿カバー５８の装置幅方向の寸法は、一例として装置本体１２の横幅に相当する寸法に設定されている。また、原稿カバー５８はヒンジ部材６０に対して回動可能にヒンジ部材６０が連結されている。ヒンジ部材６０は、読み取り機構部１４の本体部５４に挿入されている。
【００３８】
ヒンジ部材６０は、一例として本体部５４に対してスナップフィットにより接続されている。つまり、原稿カバー５８は、本体部５４に対してヒンジ部材６０により回動可能に連結されている。そして、原稿カバー５８に所定以上の外力が加わった際、ヒンジ部材６０と本体部５４との係合状態、即ちスナップフィットが解除されて、原稿カバー５８の破損を抑制、あるいは回避する。尚、本体部５４に対するヒンジ部材６０の取付構造の詳細については割愛する。
【００３９】
また、原稿カバー５８は、装置奥行き方向背面側および前面側に回動することにより原稿台５６を開閉する。つまり、原稿カバー５８は、媒体供給口カバー２４と開き方向が同じである。そして、原稿カバー５８は、閉じた状態（図１ないし図３参照）では、原稿台５６を覆っており、開いた状態（図５参照）では原稿台５６を露出させる。原稿カバー５８は、一例として、原稿カバー５８が閉じた状態において、プリンター１０において装置奥行き方向前面側の上面を構成する。尚、図１に示すように、本実施例では、閉じた状態の媒体供給口カバー２４の上面２４ｂと、閉じた状態の原稿カバー５８の上面５８ａとが面一となるように構成されている。これにより、プリンター１０における良好な外観を実現できる。
【００４０】
そして、原稿カバー５８を開いて、原稿台５６を露出させ、その上面に原稿をセットし、原稿カバー５８を閉じることで、原稿台５６において原稿の読み取りが可能となる。尚、原稿台５６の下方、すなわち本体部５４内には原稿台５６にセットされた原稿を読み取り可能な読み取り手段（不図示）が設けられている。
【００４１】
また、本実施例において、読み取り機構部１４には、本体部５４の装置奥行き方向背面側寄りに不図示の回動軸が設けられている。そして、読み取り機構部１４は、回動軸を介して回動可能に装置本体１２に連結されている。読み取り機構部１４は、装置本体１２に対して閉じた姿勢（図１及び図２参照）と、装置本体１２に対して回動し、開いた姿勢（不図示）とを切換え可能に構成されている。
【００４２】
＜＜＜媒体供給口カバーについて＞＞＞
次いで、図６ないし図１６を参照して媒体供給口カバー２４について説明する。図６に示すように、媒体供給口カバー２４は、装置本体１２の背面側端部にヒンジ部材６２を介して、装置本体１２に対して回動可能に取り付けられている。ここで、図７を参照するに、装置本体１２の装置奥行き方向背面側の端部の上部には、装置幅方向に間隔をおいて複数の摺動面６４が形成されている。
【００４３】
また、図８及び図９を参照するに、媒体供給口カバー２４は装置幅方向に延びる板状部材として構成されている。そして、媒体供給口カバー２４の装置幅方向の寸法は、一例として装置本体１２の横幅に相当する寸法に設定されている。つまり、媒体供給口カバー２４が閉じた状態において、装置幅方向において媒体供給口カバー２４と装置本体１２との間に段差等が生じ難いので、装置の見栄えが良くなる。
【００４４】
また、図８及び図９に示すように、媒体供給口カバー２４の背面側端部２４ａには、装置幅方向に間隔をおいて複数の被摺動面６６が形成されている。被摺動面６６は、背面側端部２４ａにおいて装置高さ方向上方側から下方側に延びて、さらに背面側端部２４ａの下部２４ｃを通り、背面側端部２４ａの内側において装置高さ方向上方側に延びている（図１５も参照）。
【００４５】
また、図９に示すように媒体供給口カバー２４の裏面には、複数の軸受６８が装置幅方向に間隔をおいて設けられている。軸受６８は、装置幅方向において、装置本体１２に設けられたヒンジ部材６２の位置に対応する位置に設けられている。
【００４６】
＜＜＜ヒンジ部材について＞＞＞
次いで、図１０ないし図１２を参照するに、装置本体１２の背面側端部に、ヒンジ部材取付部７０が設けられている。ヒンジ部材取付部７０には、後述するが付勢手段取付部１２ｃ及びフック係合部１２ｄが設けられている。そして、ヒンジ部材６２はヒンジ部材取付部７０に、鉛直方向成分を含む方向、すなわち装置高さ方向においてスライド可能に取り付けられている。尚、ヒンジ部材６２の説明は、装置本体１２に取り付けた姿勢に基づいて行う。
【００４７】
ヒンジ部材６２と装置本体１２との間には付勢手段７２が設けられている。付勢手段７２は、一例として圧縮コイルばねとして構成されている。図１１に示すようにヒンジ部材６２の装置奥行き方向前面側には付勢手段取付部６２ａが設けられている。付勢手段取付部６２ａは、一例としてピン状に形成されており、付勢手段７２の一端が挿入されている。
【００４８】
また、付勢手段７２の他端は、ヒンジ部材取付部７０に設けられた付勢手段取付部１２ｃと係合している。ここで、付勢手段７２の付勢力は、ヒンジ部材６２をヒンジ部材取付部７０内において鉛直方向成分を含む方向、一例として装置高さ方向下方側に付勢している。
【００４９】
また、図１２を参照するに、ヒンジ部材６２の装置奥行き方向背面側には、一対の回動軸部６２ｂと、フック６２ｃと、ばね部材７４とが設けられている。回動軸部６２ｂは、ヒンジ部材６２の装置高さ方向上方側の端部から装置奥行き方向背面側に突出している。そして、一対の回動軸部６２ｂの先端には、互いに対向する方向に回動軸６２ｄが突出している。
【００５０】
回動軸６２ｄは、媒体供給口カバー２４の軸受６８に挿入されている。尚、互いに対向する一対の回動軸部６２ｂは、弾性を有している。そして、回動軸６２ｄが軸受６８に挿入された状態において、媒体供給口カバー２４に所定以上の外力が作用すると、一対の回動軸部６２ｂは互いに相離れる方向に変形し、軸受６８から回動軸６２ｄが抜け出て媒体供給口カバー２４とヒンジ部材６２との連結が解除される。これにより、媒体供給口カバー２４、あるいはヒンジ部材６２の破損を抑制、あるいは回避することができる。
【００５１】
また、フック６２ｃは、ヒンジ部材６２の下端部に形成されている。フック６２ｃは、ヒンジ部材取付部７０内において、ヒンジ部材６２が装置高さ方向にスライド移動した際フック係合部１２ｄと接触あるいは離間することによりヒンジ部材６２の装置高さ方向におけるスライド移動の範囲を規定している。
【００５２】
ばね部材７４は、ヒンジ部材６２の上端部に設けられている、そして、ばね部材７４は、装置幅方向において一対の回動軸部６２ｂの間に配置されている。ばね部材７４は、一例として、板ばね、より具体的には所謂、二安定ばねとして構成されている。そして、ばね部材７４は、媒体供給口カバー２４の軸受６８に当接している。また、ばね部材７４は、媒体供給口カバー２４が閉じた状態から所定の開き角まで開く範囲では媒体供給口カバー２４が閉じる方向に付勢し、媒体供給口カバー２４が所定の開き角からさらに開いた範囲では媒体供給口カバー２４が開く方向に付勢している。
【００５３】
以下、図１０、図１３ないし図１６を参照して、媒体供給口カバー２４の開閉動作について説明する。図１０を参照するに、媒体供給口カバー２４が閉じた状態では、ヒンジ部材６２を装置高さ方向下方側に付勢する付勢手段７２の付勢力により、媒体供給口カバー２４も装置本体１２側に付勢されている。これにより、媒体供給口カバー２４は装置本体１２側に引き寄せられるので、装置高さ方向において媒体供給口カバー２４の背面側端部２４ａと装置本体１２の筐体１２ａとの隙間７６が小さくなる。つまり、媒体供給口カバー２４が閉じた状態では、隙間７６が埋められた状態となっている（図２も参照）。
【００５４】
ここで、図１０に示すように、媒体供給口カバー２４が閉じた状態では、ヒンジ部材６２は、媒体供給口カバー２４及び筐体１２ａの内側に隠れるように構成されている。したがって、媒体供給口カバー２４が閉じた状態におけるプリンター１０の外観を向上させることができる。
【００５５】
また、媒体供給口カバー２４が閉じた状態では、付勢手段７２によりヒンジ部材６２は装置高さ方向下方側に付勢されており、フック６２ｃは、装置本体１２に設けられたフック係合部１２ｄと離間した状態にある。
【００５６】
また、図１５に示すように、媒体供給口カバー２４の軸受６８の外周面には、閉位置規定面６８ａと、カム面６８ｂと、開位置規定面６８ｃとが形成されている。そして、媒体供給口カバー２４が閉じた状態では、ばね部材７４は装置高さ方向において回動軸６２ｄよりも下方側の位置で閉位置規定面６８ａに当接し、閉位置規定面６８ａを付勢している。したがって、ばね部材７４は、媒体供給口カバー２４が閉じる方向に媒体供給口カバー２４を付勢している。
【００５７】
次いで、図１３に示すように、媒体供給口カバー２４を閉じた状態（図１０参照）から開くと、背面側端部２４ａに設けられた被摺動面６６が、装置本体１２の摺動面６４と接触する。そして、被摺動面６６は、摺動面６４に対して摺動しながら、媒体供給口カバー２４が開く。この際、ばね部材７４は、閉位置規定面６８ａからカム面６８ｂに沿って軸受６８への当接位置を変化させる。尚、ばね部材７４は、軸受６８の半径方向に付勢するので、ヒンジ部材６２に対する媒体供給口カバー２４のがたつきを抑制できる。
【００５８】
また、被摺動面６６が摺動面６４に当接すると、当接部分が支点となり、ヒンジ部材６２を付勢手段７２の付勢力に抗して装置高さ方向上方側にスライドさせる。この際、フック６２ｃは、装置高さ方向上方側に移動し、フック係合部１２ｄに近づく。
【００５９】
そして、図１４及び図１６に示すように、媒体供給口カバー２４をさらに開くと、ばね部材７４がカム面６８ｂにおける開位置規定面６８ｃと当接する。この状態では、ばね部材７４は、開位置規定面６８ｃを付勢する。そして、ばね部材７４の付勢力は、媒体供給口カバー２４が開く方向に作用している。尚、ばね部材７４とカム面６８ｂとの当接位置が閉位置規定面６８ａから開位置規定面６８ｃに、あるいは開位置規定面６８ｃから閉位置規定面６８ａに切り換わる際、ユーザーはクリック感を感じることができるので、媒体供給口カバー２４の開閉動作における操作性を向上させることができる。
【００６０】
また、この状態においてフック６２ｃは、フック係合部１２ｄと係合するので、ヒンジ部材６２の装置高さ方向上方側へのスライド移動を規制する。
【００６１】
ここで、ヒンジ部材６２には、付勢手段７２により装置高さ方向下方側へ付勢されているが、被摺動面６６が摺動面６４に当接しており、ヒンジ部材６２の装置高さ方向下方側への変位が規制されている。したがって、媒体供給口カバー２４は、装置本体１２に対して装置奥行き方向背面側に傾斜した姿勢を維持する。また、この状態において、媒体供給口カバー２４は、媒体供給口２６に差し込まれる媒体を傾斜した姿勢で支持する媒体支持部材として機能するように構成してもよい。
【００６２】
また、媒体供給口カバー２４を開いた状態から閉じた状態に切換えるには、ばね部材７４の付勢力以上の力により媒体供給口カバー２４を装置奥行き方向背面側から前面側に向けて回動させることにより、閉じることができる。尚、その際、媒体供給口カバー２４の開き角が所定の角度以下になると、ばね部材７４の付勢力の作用する方向が、媒体供給口カバー２４を開く方向から閉じる方向に切り換わるので、外力を加えなくとも、自然と媒体供給口カバー２４は閉じた状態へと切り換わる。
【００６３】
また、再度図６を参照するに、媒体供給口カバー２４と装置本体１２とは、装置幅方向において間隔をおいて配置されたヒンジ部材６２及び軸受６８により回動可能に連結されている。そして、各ヒンジ部材６２は付勢手段７２により装置高さ方向下方側に付勢されている。
【００６４】
ここで、付勢手段７２の付勢力は、例えば、媒体供給口カバー２４の装置幅方向における一方の側部を持ち上げて媒体供給口カバー２４を開く際に一方の側部から遠い位置にあるヒンジ部材６２を支点として一方の側部に近い位置にあるヒンジ部材６２が浮き上がることなく媒体供給口カバー２４が回動する大きさに設定されている。これにより、ユーザーが媒体供給口カバー２４の一方の側部を持ち上げても、ヒンジ部材６２が持ち上がることがなく、回動軸６２ｄを中心に媒体供給口カバー２４を回動させることができ、操作性を向上させることができる。
【００６５】
また、ヒンジ部材６２を装置高さ方向にスライド移動させる構成としたので、媒体供給口カバー２４の開閉動作時に媒体供給口カバー２４が装置本体１２に干渉することを防止できる。その結果、媒体供給口カバー２４、あるいは装置本体１２に干渉を防ぐための逃げ形状等を設ける必要がなくなり、プリンター１０におけるデザイン性を向上させることができる。
【００６６】
＜＜＜実施例の変更例＞＞＞
媒体供給口カバー２４を単一の部材として構成したが、媒体供給口カバー２４を開いた際、媒体の支持領域を増やすべく、媒体を媒体供給口２６に差し入れる方向に沿って伸縮可能に複数の部品で構成してもよい。
【００６７】
上記説明をまとめると、プリンター１０は、媒体に記録を行う記録ヘッド５０を備える装置本体１２の外側の少なくとも一部を構成する筐体１２ａと、装置本体１２の上部の少なくとも一部を開閉する、回動可能な媒体供給口カバー２４と、媒体供給口カバー２４の回動軸６２ｄと、を備え、回動軸６２ｄは、回動軸６２ｄの軸線方向と交差する方向である装置高さ方向に変位可能であり、媒体供給口カバー２４は、回動軸６２ｄの変位により、自由端側に対し反対側の背面側端部２４ａと筐体１２ａとの間の隙間７６を埋める閉状態から、開状態へと回動可能である。この構成によれば、媒体供給口カバー２４の回動軸側端部２４ａと筐体１２ａとの間の隙間を小さくしながらも、媒体供給口カバー２４を適切に開閉可能となる。
【００６８】
回動軸６２ｄは、装置本体１２に対して鉛直方向成分を含む方向である装置高さ方向にスライド可能に設けられるヒンジ部材６２により構成される。この構成によれば、回動軸６２ｄを軸線方向と交差する方向に変位させる構成を構造簡単にして低コストに実現できる。
【００６９】
ヒンジ部材６２は、付勢手段７２によって鉛直下方向の成分を含む方向である装置高さ方向下方向に付勢されている。この構成によれば、媒体供給口カバー２４と筐体１２ａとの間の隙間７６が埋まった状態、即ち外観上好ましい状態を維持できる。
【００７０】
ヒンジ部材６２及び付勢手段７２の対が、媒体供給口カバー２４の回動軸線方向である装置幅方向に沿って複数設けられ、付勢手段７２の付勢力は、媒体供給口カバー２４の回動軸線方向である装置幅方向における一方の側部を持ち上げて媒体供給口カバー２４を開く際に、一方の側部から遠い位置にあるヒンジ部材６２を支点として一方の側部に近い位置にあるヒンジ部材６２が浮き上がることなく媒体供給口カバー２４が回動する大きさに設定されている。この構成によれば、ユーザーが媒体供給口カバー２４の回動軸線方向である装置幅方向における一方の側部を持ち上げて媒体供給口カバー２４を開く際に、適切に媒体供給口カバー２４を開くことができる。
【００７１】
ヒンジ部材６２は、筐体１２ａの内側に設けられ、媒体供給口カバー２４が閉じた状態において、ヒンジ部材６２が、筐体１２ａ及び媒体供給口カバー２４の内側に隠れる。この構成によれば、媒体供給口カバー２４が閉じた状態において、媒体供給口カバー２４が閉じた状態でのプリンター１０の外観を向上させることができる。
【００７２】
媒体供給口カバー２４が閉じた状態から所定の開き角まで開く範囲で媒体供給口カバー２４を閉方向に付勢し、媒体供給口カバー２４が所定の開き角から更に開いた範囲で媒体供給口カバー２４を開方向に付勢するばね部材７４をヒンジ部材６２に備える。この構成によれば、媒体供給口カバー２４を開閉する際の操作性が向上する。
【００７３】
装置本体１２の上部に、原稿を読み取る読み取り機構部１４と、媒体をセット可能な媒体供給口２６と、を有し、媒体供給口カバー２４は、媒体供給口２６を開閉し、読み取り機構部１４は、原稿を載置する原稿台５６を開閉する、媒体供給口カバー２４と開き方向が同じである原稿カバー５８を備え、媒体供給口カバー２４と原稿カバー５８は、装置本体１２の横幅に相当する幅を有するとともに、媒体供給口カバー２４の上面２４ｂと原稿カバー５８の上面５８ａとが面一であり、媒体供給口カバー２４の自由端側と反対側の端部である装置背面側端部２４ａと装置本体１２の背面１２ｂとが面一である。この構成によれば、優れた外観の記録装置を得ることができる。
【００７４】
また、本実施形態では本発明に係る媒体供給口カバー２４を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７７】
１０…プリンター、１２…装置本体、１２ａ…筐体、１２ｂ…背面、１２ｃ…付勢手段取付部、１２ｄ…フック係合部、１４…読み取り機構部、１６…操作部、１８…表示手段、２０…前面カバー、２２…排紙トレイ、２４…媒体供給口カバー、２４ａ…背面側端部、
２４ｂ、５８ａ…上面、２４ｃ…下部、２６…媒体供給口、２８…媒体案内経路、３０…媒体搬送経路、３２…カセット、３４…ピックアップローラー、３６…反転ローラー、３８ａ、３８ｂ、３８ｃ…従動ローラー、４０…搬送ローラー対、４２…記録部、４４…排出ローラー対、４６、６２ｄ…回動軸、４８…キャリッジ、５０…記録ヘッド、５２…媒体案内部材、５４…本体部、５６…原稿台、５８…原稿カバー、６０、６２…ヒンジ部材、６２ａ…付勢手段取付部、６２ｂ…回動軸部、６２ｃ…フック、６４…摺動面、６６…被摺動面、６８…軸受、６８ａ…閉位置規定面、６８ｂ…カム面、６８ｃ…開位置規定面、７０…ヒンジ部材取付部、７２…付勢手段、７４…ばね部材、７６…隙間、Ａ…矢印
【図１】
0006767669.tif 000002
【図２】
0006767669.tif 000003
【図３】
0006767669.tif 000004
【図４】
0006767669.tif 000005
【図５】
0006767669.tif 000006
【図６】
0006767669.tif 000007
【図７】
0006767669.tif 000008
【図８】
0006767669.tif 000009
【図９】
0006767669.tif 000010
【図１０】
0006767669.tif 000011
【図１１】
0006767669.tif 000012
【図１２】
0006767669.tif 000013
【図１３】
0006767669.tif 000014
【図１４】
0006767669.tif 000015
【図１５】
0006767669.tif 000016
【図１６】
0006767669.tif 000017